(57)【特許請求の範囲】
【請求項１】
ゴム材若しくは可撓性を有する合成樹脂材料からなり、
装着対象物（a）である生地に対する縫着部分となる板状の縫代部（１）と、
イヤホーンコード（b）を通すための挿通孔（３０）（４０）を同一軸線上として、前記縫代部（１）の一端に間隙（１０）を介して上下に設けた上側筒体（３）及び下側筒体（４）とからなり、
上側筒体（３）の挿通孔（３０）の周壁にはイヤホーンコード（b）を着脱するための挿入口として機能する上側スリット（３１）を形成するとともに、該上側スリット（３１）の周壁反対側に位置する下側筒体（４）の周壁にはイヤホーンコード（b）を着脱するための挿入口として機能する下側スリット（４１）を形成したことを特徴とするイヤホーンコード絡み防止具。
【請求項２】
上側スリット（３１）及び下側スリット（４１）における開口端部の角を落として、イヤホーンコード（b）を各筒体（３）（４）内に案内する各ガイド部（３２）（４２）を形成したことを特徴とする請求項１記載のイヤホーンコード絡み防止具。
【請求項３】
上側スリット（３１）及び下側スリット（４１）における開口端形状を曲線状又は折線形状としたことを特徴とする請求項１又は２記載のイヤホーンコード絡み防止具。
【発明の詳細な説明】
【０００１】
【発明が属する技術分野】
本発明は、携帯用オーディオ類、携帯用ラジオ等に装着されるイヤホーンの使用中において、イヤホーンコードが使用者の腕や鞄等と絡むことを防止するための器具（以下、イヤホーンコード絡み防止具という。）に関するものである。
【０００２】
【従来の技術】
従来、携帯用オーディオ機器等に装着されるイヤホーンにより、音声を聞く場合に、イヤホーンコードは、多くの場合、ポケットや鞄等に収納された当該携帯用オーディオ機器と両耳との間に垂れ下がることとなり、当該イヤホーンコードが、使用者の腕、鞄や他人の荷物等に絡むことが多く、このような場合、使用者がイヤホーンコードを気にして思うような動きが取れなかったり、或いは、イヤホーンが耳から外れたり、当該オーディオ機器を転落させたりすることがあった。
【０００３】
このようなイヤホーンの使用中におけるイヤホーンコードが当該使用者の腕や手持ち品、その他の物との絡みを防止するものとして、現在種々のイヤホーンコード絡み防止具が開示されており、例えば、実開平５−２１５９２号に示されるような、相対する一対の弾性を有する直線型板部及び馬蹄形型板部よりなり、その先端に衣類等を挟む爪部を設け、且つ、その根元にはリモコンに接続されたコードを保持すべく相対する一対の突起部を設けたクリップ形状のもの（以下、先行技術という。）が公知である。
【０００４】
【発明が解決しようとする課題】
上記先行技術に係るイヤホーン絡み防止具は、衣類等を爪部と突起部とを設けたクリップによって挟みこむものであることから、使用者の動きや、外力の作用等によって、非常に外れやすく、結果として、前記使用者が思うような動きを十分にとれるものではなかった。
【０００５】
また、当該先行技術に係るイヤホーンコード絡み防止具は、イヤホーンコードを強く狭持するものであることから、前記した使用者の動き等や、他の物にイヤホーンコードが引っ掛ること等により、当該イヤホーンコードに無理な力が作用すると、断線を生ずる虞があることから、この点においても問題であった。
【０００６】
本発明は以上の事情に鑑みてなされたものであり、使用者が思い通りの動きをとった場合であってもイヤホーンコードの絡み防止機能を阻害されず、またイヤホーンコードの断線をも招来することのない、極めて有用なイヤホーンコード絡み防止具を提供することを、発明が解決しようとする課題とするものである。
【０００７】
【課題を解決するための手段】
ゴム材若しくは可撓性を有する合成樹脂材料からなり、装着対象物である生地に対する縫着部分となる板状の縫代部と、イヤホーンコードを通すための各挿通孔を同一軸線上として、前記縫代部の一端に間隙を介して上下に設けた上側筒体及び下側筒体とからなり、上側筒体の挿通孔の周壁にはイヤホーンコードを着脱するための挿入口として機能する上側スリットを形成するとともに、該上側スリットの周壁反対側に位置する下側筒体の周壁にはイヤホーンコードを着脱するための挿入口として機能する下側スリットを形成したことを特徴とするイヤホーンコード絡み防止具を、課題を解決するための手段とするものである。
【０００８】
【発明の効果】
本発明によれば、ゴム材若しくは可撓性を有する合成樹脂材料からなる可撓性板状体とした縫代部と、イヤホーンコードを通すための挿通孔を同一軸線上として前記縫代部の一端に間隙を介して上下に配置した上側筒体及び下側筒体とから構成としたイヤホーンコード絡み防止具においては、下側筒体を基準として上側筒体がフレキシブルに動くことが可能となり、縫代部が縫着対象物である生地に追従して、イヤホーンコードに局部的な強い外力がかかることを防止することができる。
【０００９】
また、衣服の間接部分等の動きの大きい個所に対して縫着した場合には、特にそのフレキシブルな性質によって、イヤホーンコード絡み防止具としての十分な効果を発揮することができる。
【００１０】
そして、前記上側筒体の周壁に縦方向となる上側スリットを形成するとともに、該上側スリットの周壁反対側となる下側筒体の周壁縦方向に下側スリットを形成した構成としたことによって、イヤホーンコードが、当該イヤホーンコード絡み防止具から外れることを極めて有効に防止することができる。
【００１１】
更に、上側スリット及び下側スリットにおける開口端部の角を落として、イヤホーンコードを筒体内に案内するガイド部を形成した場合には、当該イヤホーンコード絡み防止具の筒体内へ導くことを容易とすることができる。
【００１２】
また、前記上側スリット及び下側スリットにおける開口端形状を波型波型等の曲線状、或いは、折線状とすることによって、当該イヤホーンコード絡み防止具からのイヤホーンコードの脱落防止を確実なものとすることができる。
【００１３】
【発明の実施の形態及び実施例】
図１は本発明の実施例に係るイヤホーンコード絡み防止具を示す斜視図、図２は図１のＡ−Ａ拡大断面図、図３は実施例に係るイヤホーンコード絡み防止具の湾曲状態を示す説明図、図４は実施例に係るイヤホーンコード絡み防止具の使用状態を示す斜視図である。
【００１４】
次に、本発明の実施例に係るイヤホーンコード絡み防止具は、図１にその斜視図を、図２には図１におけるＡ−Ａ拡大断面図を、また図４にはその使用状態の一例を示すように、ポリウレタンで一体成形されるものであって、縦２７ｍｍ、横８ｍｍ、厚さ１．５ｍｍ程度の板状体とした縫代部１と、イヤホーンコードbを通すための直径８ｍｍ程度とした挿通孔３０、４０を同一軸線上として、前記縫代部１の一端に間隙１０を介して上下に配置した夫々外径１０ｍｍ、縦幅１２ｍｍ程度の上側筒体３及び下側筒体４とを一体成形したものであり、該上側筒体３には、前記挿通孔３０の軸中心を基準として、縫代部１から９０度の位置となる周壁に縦方向となる幅０．５ｍｍ以下となる上側スリット３１を形成し、また当該上側筒体３における挿通孔３０の軸中心を基準として、上側スリット３１の周壁反対側（１８０度の位置）となる下側筒体４の周壁縦方向には、幅０．５ｍｍ以下となる下側スリット４１を形成したイヤホーンコード絡み防止具６である。
【００１５】
本実施例は、上側スリット３１及び下側スリット４１を互い違いとして設けることにより、一方向からの外力がイヤホーンコード絡み防止具６に加わった場合においても、当該イヤホーンコードbが使用者の意に反する脱落を生じないものとすることができる点において優れたものである。
【００１６】
また、図３に示すように、上側筒体３と下側筒体４との間に間隙１０を形成するとともに、当該間隙１０近傍の縫代部１に切込みを設けることによって、上側筒体３と下側筒体４が相対的に柔軟に動くことが可能となり、取り付け対象物である生地における動きの大きい箇所へ縫着した場合であっても、極めて当該生地に追従しやすいものとしている。
【００１７】
本実施例の使用態様としては、図４に示すように、装着対象物aであるジャンパーの腕部、肘部に設け、オーディオ装置を兼備した腕時計等を使用する際に、当該腕時計に連結されたイヤホーンを使用するものである。
【００１８】
尚、本発明においては、上記実施例に限定されるものではなく、例えば、スリットの幅はイヤホーンコードbの線径よりも広ければよく、また、ゴム等自体の有する材質により、形成されたスリット自体が使用状態において、塞がった状態となるものであってもよい。
【００１９】
更に、本発明に係るイヤホーンコード絡み防止具の使用態様においては、コートの内側若しくは外側や、鞄等種々の布、皮革製品等に使用することができ、取付ける数量においても、特に一つの装着対象物に一つとする必要はなく、複数個使用することもできる。
【００２０】
本発明に係るイヤホーンコード絡み防止具における材質は、上記実施例においてはいずれもポリウレタンを使用したが、例えば、ブタジエン等の合成ゴムや、可撓性のポリエステル等を使用することもできる。
【図面の簡単な説明】
【図１】  本発明の実施例に係るイヤホーンコード絡み防止具を示す斜視図である。
【図２】  本発明の実施例に係るイヤホーンコード絡み防止具のＡ−Ａ拡大断面図である。
【図３】  本発明の実施例に係るイヤホーンコード絡み防止具の湾曲状態を示す説明図である。
【図４】  本発明の実施例に係るイヤホーンコード絡み防止具の使用状態を示す説明図である。
【符号の説明】
１      縫代部
３      上側筒体
３０    挿通孔
３１    上側スリット
３２    ガイド部
４      下側筒体
４０    挿通孔
４１    下側スリット
４２    ガイド部
６      イヤホーンコード絡み防止具
a      装着対象物
b      イヤホーンコード
【図１】
0003803910.tif 000002
【図２】
0003803910.tif 000003
【図３】
0003803910.tif 000004
【図４】
0003803910.tif 000005